(57)【要約】【課題】壁面等に取り付けた吊下ユニット１に対して火災警報器を取り付ける際の作業性をよくするとともに、火災警報器側の引掛部２を目立たなくする。【解決手段】  吊下ユニット１と引掛部２を板状とする。吊下ユニット１に板状の基部１１、フレーム１２、一対のフック部１３，１３、ボス１４を形成する。引掛部２を外装筺体の脊板１０Ａ１に形成する。引掛部２に板状の縦板３１、一対の突片部２２，２２を形成する。引掛部２の縦板部２１を吊下ユニット１の一対のフック部１３，１３の間に嵌め込ませる。縦板部２１の縦溝２３内に吊下ユニット１の矩形のボス１４を嵌合する。吊下ユニット１に対して引掛部２を引き下げ、突片部２２，２２をフック部１３，１３の押板１３１，１３１と基部１１との間に嵌合し、突片部２２，２２をフック部１３，１３に係合させる。【選択図】図１
2010185506.tif 000002
【特許請求の範囲】
【請求項１】
取付面に取り付ける吊下ユニットに、被吊下物の外装筺体に形成された引掛部を取り付けて該被吊下物を吊り下げるための、筺体吊下構造であって、
前記引掛部は、前記被吊下物の外装筺体の前記取付面と対向する面に、該面と平行な板状の縦板部と、該縦板部の端部に形成されて吊り下げ時の鉛直線を挟む両端から突出する板状の一対の突片部とを有し、
前記吊下ユニットは、前記取付面に取り付ける板状の基部と、該基部正面に設けられた一対のフック部であって、当該吊下ユニットの前記取付面への取り付け時の鉛直線を挟む両側にて前記引掛部の縦板部が嵌る間隔を隔てて形成されたフック部とを有し、
前記引掛部の縦板部を前記吊下ユニットの前記一対のフック部間に嵌め込ませるとともに、該縦板部に形成された前記一対の突片部を該フック部に係合させて、該被吊下物を該吊下ユニットに吊り下げるようにしたことを特徴とする筺体吊下構造。
【請求項２】
前記フック部の内側と、前記突片部の前記フック部との対向部との、一方に突起が、他方に該突起に係合する凹部が形成されていることを特徴とする請求項１に記載の筺体吊下構造。
【発明の詳細な説明】
【技術分野】
【０００１】
本発明は、火災警報器やその他の機器のように外装筺体を有する被吊下物を、壁面等の取付面に取り付けるための吊下ユニットと引掛部を用いた筺体吊下構造に関する。
【背景技術】
【０００２】
従来、この種の取付構造として、例えば特開２００７−２２８号公報（特許文献１）に開示されたものがある。この従来の技術では、被吊下物が傾いた状態で吊り下げられることなく、美観の向上を図るものである。吊下具は、取付面に取り付けられる基部と、この基部に設けられたフック部とを備え、被吊下物をフック部に引掛けて吊り下げるようにしている。また、吊下具には、基部に突設され、被吊下物と当接して被吊下物の揺れを規制する一対の当接突部が設けられている。この一対の当接突部の間に、フック部が設けられている。また、吊下具には、被吊下物の引掛穴の鉛直方向下側の内側面と係止する係止突部が設けられている。
【先行技術文献】
【特許文献】
【０００３】
【特許文献１】特開２００７−２２８号公報
【発明の概要】
【発明が解決しようとする課題】
【０００４】
しかしながら、前記従来の構造では、アタッチメントのフック部が被吊下物から露出するので、外観デザイン上、改良の余地がある。また、フック部を隠すためにカバーを用いるようにしているが、アタッチメントとカバーをセットとして持つ必要があり、取付作業が煩雑であった。
【０００５】
そこで、本発明は、被吊下物から引掛部が出来るだけ露出しないようにし、外観デザインを向上さ、取付作業を容易にするとともに被吊下物を安定して取付可能にすることを課題とする。
【課題を解決するための手段】
【０００６】
請求項１の筺体吊下構造は、取付面に取り付ける吊下ユニットに、被吊下物の外装筺体に形成された引掛部を取り付けて該被吊下物を吊り下げるための、筺体吊下構造であって、前記引掛部は、前記被吊下物の外装筺体の前記取付面と対向する面に、該面と平行な板状の縦板部と、該縦板部の端部に形成されて吊り下げ時の鉛直線を挟む両端から突出する板状の一対の突片部とを有し、前記吊下ユニットは、前記取付面に取り付ける板状の基部と、該基部正面に設けられた一対のフック部であって、当該吊下ユニットの前記取付面への取り付け時の鉛直線を挟む両側にて前記引掛部の縦板部が嵌る間隔を隔てて形成されたフック部とを有し、前記引掛部の縦板部を前記吊下ユニットの前記一対のフック部間に嵌め込ませるとともに、該縦板部に形成された前記一対の突片部を該フック部に係合させて、該被吊下物を該吊下ユニットに吊り下げるようにしたことを特徴とする。
【０００７】
請求項２の筺体吊下構造は、請求項１に記載の筺体吊下構造であって、前記フック部の内側と、前記突片部の前記フック部との対向部との、一方に突起が、他方に該突起に係合する凹部が形成されていることを特徴とする。
【発明の効果】
【０００８】
請求項１の筺体吊下構造によれば、火災警報器等の被吊下物側の引掛部が板状の縦板部と突片部とで構成されているので、この引掛部を薄くすることができ、この引掛部を外装箱体に隠すことができ、外観デザインが向上する。また、引掛部の突片部をフック部に係合するだけでよいので、取り付け作業が容易になる。さらに、一対のフック部と一対の突片部の係合により、引掛部を吊下ユニットに取り付けるので、安定した状態で取り付けることができる。
【０００９】
請求項２の筺体吊下構造によれば、請求項１と同様な効果に加えて、フック部と突片部との一方に形成された凹部に、他方に形成された突起が係合するので、フック部に対して突片部の位置が保持され、さらに、安定した状態で取り付けることができる。
【図面の簡単な説明】
【００１０】
【図１】本発明の実施形態における吊下ユニット及び引掛部の斜視図である。
【図２】本発明の実施形態における吊下ユニットの４面図である。
【図３】本発明の実施形態における取り付け方法を説明する図である。
【図４】本発明の実施形態における火災警報器の正位置での取付例を示す図である。
【図５】本発明の実施形態における火災警報器の横向き位置での取付例を示す図である。
【発明を実施するための形態】
【００１１】
次に、本発明の筺体吊下構造の実施の形態を図面に基づいて説明する。この、実施の形態の筺体吊下構造はガス漏れ警報機能付き火災警報器を壁に吊すためのものである。図１は本発明の実施形態における吊下ユニット１及び引掛部２の斜視図、図２は吊下ユニット１の４面図、図３は取り付け方法を説明する図、図４及び図５は火災警報器の取付例を示す図である。図２(A) は正面図、図２(B) は背面図、図２(C) は側面図、図２(D) は上面図である。なお、火災警報器の筺体を係合する側が正面であり「筺体側」ともいう。また、背面は壁に当接する側であり「壁面側」ともいう。
【００１２】
吊下ユニット１は樹脂形成した部材である。この吊下ユニット１は、角を丸めた略５角形の薄型箱状の形状をしており、壁面等の取付面に取り付ける板状の基部１１の周囲にフレーム１２が形成されている。また、基部１１の正面下部には一対のフック部１３，１３が形成されている。このフック部１３，１３は、吊下ユニット１を取付面への取り付けた時の鉛直線Ｌ（図２(A) ）を挟む両側に形成されている。また、フック部１３，１３は、基部１１と平行な板状の押板部１３１と、基部１１に連結された連結部１３２とで構成されている。また、押板部１３１，１３１の基部１１側の面には凹部１３ａ，１３ａが形成されている。
【００１３】
吊下ユニット１の下部のフック部１３，１３の間には矩形のボス１４が形成され、上部のフレーム１２の内側には傾斜面を有するボス１５，１５が形成されている。そして、これらのボス１４，１５，１５には、石膏ボードの壁面等に固定するピンを通すためのピン取付孔１４ａ，１５ａ，１５ａが形成されている。さらに、基部１１には、ダルマ型のネジ取付孔１６が形成されている。なお、図中の符号Ｈで示す孔は、金型による成形時のアンダーカット回避用の孔である。
【００１４】
図４及び図５ に示すように、被取付物としての火災警報器１０は外装筺体１０Ａを有し、この外装筺体１０Ａは、図１(A) に示すように脊板１０Ａ１を有している。そして、引掛部この脊板１０Ａ１に引掛部２が形成されている。
【００１５】
すなわち、引掛部２は火災警報器１０の外装筺体１０Ａを取り付ける取付面と対向する面に形成されている。そして、この引掛部２は、取付面と対向する脊板１０Ａ１と平行な板状の縦板部２１と、縦板部２１の上端部に形成された一対の板状の突片部２２，２２とを有している。この突片部２２，２２は、火災報知器を吊り下げた時の鉛直線Ｌを挟む両端から突出するように形成され、この突片部２２，２２には、吊下ユニット１のフック部１２，１２における凹部１３ａ，１３ａに嵌合する突起２２ａ，２２ａが形成されている。また、縦板部２１には、縦溝２３が形成されている。
【００１６】
以上の構成により、火災警報器１０の取り付け時には次のようにする。ます、壁面等の取付面に取り付けた吊下ユニット１に対して引掛部２を対向させる。なお、吊下ユニット１を取付面に取り付けるときは、ピン取付孔１４ａ，１５ａ，１５ａを介して図示しないピンを打ち込むか、取付面に固定された図示しないネジをネジ取付孔１６に引っかけるかし、吊下ユニット１を取付面に取り付ける。次に、図３(B) のように、引掛部２の縦板部２１を吊下ユニット１の一対のフック部１３，１３の間に嵌め込ませる。このとき、縦板部２１の縦溝２３内に吊下ユニット１の矩形のボス１４を嵌合する。そして、図３(C) のように、吊下ユニット１に対して引掛部２を引き下げ、引掛部２に形成された突片部２２，２２を、フック部１３，１３の押板１３１，１３１と基部１１との間に嵌合し、この突片部２２，２２をフック部１３，１３の連結部１３２，１３２に当接さえる。このようにして、突片部２２，２２をフック部１３，１３に係合させる。
【００１７】
このとき、フック部１３，１３に形成された凹部１３ａ，１３ａに、突片部２２，２２に形成された突起２２ａ，２２ａを係合させる。これにより、フック部１３，１３に対して突片部２２，２２の位置が保持される。なお、フック部側に突起を形成し、突片部側に凹部を形成してもよい。
【００１８】
図４及び図５は火災警報器の取付例を示す図であり、図４は火災警報器１０を正位置で取り付けた場合であり、火災警報器１０の外装筺体１０Ａの裏面の上辺中央部分に形成された引掛部２を吊下ユニット１に取り付けた場合である。図５は、火災警報器１０を横向き位置で取り付けた場合であり、火災警報器１０の外装筺体１０Ａの裏面の側辺中央部分に形成された引掛部２を吊下ユニット１に取り付けた場合である。
【００１９】
図４の場合には引掛部２の上端が僅かに視認されるが、火災警報器は高い位置に取り付けられるため、この程度であれば見栄えに影響しない。また、図５の場合には、図４のように取り付けた場合を考慮して、引掛部２は箱体１０Ａに隠れている。このように、引掛部２が全体として板状となっているので、引掛部２の全部が隠れるように形成することもできる。
【００２０】
このように、一対のフック部１２，１２と一対の突片部２２，２２の係合により、引掛部２を吊下ユニット１に取り付けるようにしているので、安定した状態で取り付けることができる。また、引掛部２の突片部２２，２２をフック部１３，１３に係合するだけでよいので、取り付け作業が容易になる。さらに、火災警報器１０の有効期間（例えば５年）が経過して交換する場合も、吊下ユニット１をそのまま使用することができる。
【符号の説明】
【００２１】
１    吊下ユニット
１１    基部
１３    フック部
１３ａ  凹部
２      引掛部
２１    縦板部
２２    突片部
２２ａ  突起
１０    火災警報器（被吊下物）
１０Ａ  外装筺体
【図１】
2010185506.tif 000003
【図２】
2010185506.tif 000004
【図３】
2010185506.tif 000005
【図４】
2010185506.tif 000006
【図５】
2010185506.tif 000007